(57)【要約】【課題】対象年齢に応じたデジタルコンテンツ画面の補正を行うことができるデジタルコンテンツ画面補正装置、その方法およびそのプログラムを提供する。【解決手段】対象年齢に応じた水晶体の分光感度特性を算出する年齢特性算出部１２と、デジタルコンテンツ画面を構成する各領域の分光分布特性を算出する分光分布特性算出部１３と、年齢特性算出部１２によって算出された分光感度特性および分光分布特性算出部１３によって算出された各領域の分光分布特性に基づいて、各領域のＲＧＢ三刺激値を算出する三刺激値算出部１４と、三刺激値算出部１４によって算出された各領域のＲＧＢ三刺激値に基づいて、互いに隣接する領域間の色差を算出する色差算出部１５と、算出された色差に基づいて、境界が見えにくくなる両領域を補正の対象とする領域として検出する領域検出部１６とを備える。【選択図】図１
2008226229.tif 000002
【特許請求の範囲】
【請求項１】
デジタルコンテンツ画面が見やすくなるよう該デジタルコンテンツ画面の補正を行うデジタルコンテンツ画面補正装置であって、
対象年齢に応じた水晶体の分光感度特性を算出する年齢特性算出部と、
前記デジタルコンテンツ画面を構成する各領域の分光分布特性を算出する分光分布特性算出部と、
前記年齢特性算出部によって算出された分光感度特性および前記分光分布特性算出部によって算出された各領域の分光分布特性に基づいて、前記各領域の三刺激値を算出する三刺激値算出部と、
前記三刺激値算出部によって算出された各領域の三刺激値に基づいて、前記各領域のうち互いに隣接する領域間の色差を算出する色差算出部と、
前記色差算出部によって算出された色差に基づいて、境界が見えにくくなる両領域を前記補正の対象とする領域として検出する領域検出部とを備えたデジタルコンテンツ画面補正装置。
【請求項２】
前記分光分布特性算出部は、波長をλとし、前記デジタルコンテンツ画面を表示するディスプレイのＲＧＢ分光分布特性をそれぞれＰＲ（λ）、ＰＧ（λ）、ＰＢ（λ）とし、前記各領域の光信号レベルをＬＲ、ＬＧ、ＬＢとし、補正係数をＲＯ、ＧＯ、ＢＯとしたときに、前記各領域の分光分布特性ＰＲＧＢ（λ）を
ＰＲＧＢ（λ）＝ＬＲ・ＲＯ・ＰＲ（λ）＋ＬＧ・ＧＯ・ＰＧ（λ）＋ＬＢ・ＢＯ・ＰＢ（λ）
によって算出することを特徴とする請求項１に記載のデジタルコンテンツ画面補正装置。
【請求項３】
前記分光分布特性算出部は、前記デジタルコンテンツ画面を表示するディスプレイの各ＲＧＢ分光分布特性ＰＲ（λ）、ＰＧ（λ）、ＰＢ（λ）を、下限波長から上限波長までの区間で１をとり、他の区間で０をとる方形特性とし、前記下限波長および前記上限波長が前記デジタルコンテンツ画面の適用規格に色度点が合致するように定めることを特徴とする請求項２に記載のデジタルコンテンツ画面補正装置。
【請求項４】
前記補正係数は、前記分光分布特性の光信号レベルがそれぞれ１のときに基準年齢における三刺激値がそれぞれ１になるよう定められていることを特徴とする請求項２または請求項３に記載のデジタルコンテンツ画面補正装置。
【請求項５】
前記三刺激値算出部は、前記分光分布特性算出部によって算出された各領域の分光分布特性と、前記年齢特性算出部によって算出された分光感度特性と、スペクトル三刺激値とを可視光線の波長の範囲で積分することによって各領域の三刺激値を算出することを特徴とする請求項１ないし請求項４の何れか１項に記載のデジタルコンテンツ画面補正装置。
【請求項６】
デジタルコンテンツ画面が見やすくなるよう該デジタルコンテンツ画面の補正を行うデジタルコンテンツ画面補正装置であって、
対象年齢に応じた水晶体の分光感度特性を算出する年齢特性算出部と、
前記デジタルコンテンツ画面を構成する全領域の分光分布特性を算出する分光分布特性算出部と、
前記年齢特性算出部によって算出された分光感度特性および前記分光分布特性算出部によって算出された前記全領域の分光分布特性に基づいて、前記全領域の三刺激値を算出する三刺激値算出部と、
前記三刺激値算出部によって算出された前記全領域の三刺激値に基づいて前記全領域の画像データを人間の知覚に合致した色データに変換する色データ変換部と、
前記デジタルコンテンツ画面の前記全領域を互いに隣接する隣接領域毎に分割する領域分割部と、
前記隣接領域の色データに基づいて算出された色差によって前記隣接領域の見やすさを評価する色差評価部と、
前記色差評価部によって見えにくいとされた隣接領域の少なくとも一方を前記補正の対象として色補正する色補正部とを備えたデジタルコンテンツ画面補正装置。
【請求項７】
前記色差評価部は、前記隣接領域毎に算出された人間の知覚に対応する色信号の平均値の差で示される色差に基づいて前記隣接領域の見やすさを評価する請求項６に記載のデジタルコンテンツ画面補正装置。
【請求項８】
前記色補正部は、前記色差評価部によって前記隣接領域が見やすいと評価される色を予め定められた色パレットから選択して色補正する請求項６または請求項７に記載のデジタルコンテンツ画面補正装置。
【請求項９】
前記色差評価部は、見やすさを評価する対象を指示する指示手段の指示に基づいて前記隣接領域の見やすさを評価するものであり、前記隣接領域の一方が文字を表示する文字領域であって前記隣接領域の他方が前記文字の背景領域であるとき、該背景領域の一部が指定された際に、前記文字の見やすさを評価する請求項６ないし請求項８の何れか１項に記載のデジタルコンテンツ画面補正装置。
【請求項１０】
前記色差評価部は、見やすさを評価する対象範囲を指示する指示手段の指示に基づいて前記隣接領域の見やすさを評価するものであり、前記隣接領域の一方が文字を表示する文字領域であって前記隣接領域の他方が前記文字の背景領域であるとき、前記文字領域の少なくとも一部の領域が前記対象範囲として選択された際に、該対象範囲内の文字の見やすさを評価する請求項６ないし請求項８の何れか１項に記載のデジタルコンテンツ画面補正装置。
【請求項１１】
デジタルコンテンツ画面が見やすくなるよう該デジタルコンテンツ画面の補正を行うデジタルコンテンツ画面補正方法であって、
対象年齢に応じた水晶体の分光感度特性を算出する年齢特性算出ステップと、
前記デジタルコンテンツ画面を構成する各領域の分光分布特性を算出する分光分布特性算出ステップと、
前記年齢特性算出ステップで算出された分光感度特性および前記分光分布特性算出ステップで算出された各領域の分光分布特性に基づいて、前記各領域の三刺激値を算出する三刺激値算出ステップと、
前記三刺激値算出ステップで算出された各領域の三刺激値に基づいて、前記各領域のうち互いに隣接する領域間の色差を算出する色差算出ステップと、
前記色差算出ステップで算出された色差に基づいて、境界が見えにくい両領域を前記補正の対象とする領域として検出する領域検出ステップとを有するデジタルコンテンツ画面補正方法。
【請求項１２】
デジタルコンテンツ画面が見やすくなるよう該デジタルコンテンツ画面の補正を行うデジタルコンテンツ画面補正方法であって、
対象年齢に応じた水晶体の分光感度特性を算出する年齢特性算出ステップと、
前記デジタルコンテンツ画面を構成する全領域の分光分布特性を算出する分光分布特性算出ステップと、
前記年齢特性算出ステップで算出された分光感度特性および前記分光分布特性算出ステップで算出された前記全領域の分光分布特性に基づいて、前記全領域の三刺激値を算出する三刺激値算出ステップと、
前記三刺激値算出ステップで算出された前記全領域の三刺激値に基づいて前記全領域の画像データを人間の知覚に合致した色データに変換する色データ変換ステップと、
前記デジタルコンテンツ画面の前記全領域を互いに隣接する隣接領域毎に分割する領域分割ステップと、
前記隣接領域の色データに基づいて算出された色差によって前記隣接領域の見やすさを評価する色差評価ステップと、
前記色差評価ステップで見えにくいとされた隣接領域の少なくとも一方を前記補正の対象として色補正する色補正ステップとを有するデジタルコンテンツ画面補正方法。
【請求項１３】
デジタルコンテンツ画面が見やすくなるよう該デジタルコンテンツ画面の補正を行うデジタルコンテンツ画面補正装置としてコンピュータを機能させるためのデジタルコンテンツ画面補正プログラムであって、
前記コンピュータを、
対象年齢に応じた水晶体の分光感度特性を算出する年齢特性算出部と、
前記デジタルコンテンツ画面を構成する各領域の分光分布特性を算出する分光分布特性算出部と、
前記年齢特性算出部によって算出された分光感度特性および前記分光分布特性算出部によって算出された各領域の分光分布特性に基づいて、前記各領域の三刺激値を算出する三刺激値算出部と、
前記三刺激値算出部によって算出された各領域の三刺激値に基づいて、前記各領域のうち互いに隣接する領域間の色差を算出する色差算出部と、
前記色差算出部によって算出された色差に基づいて、境界が見えにくくなる両領域を前記補正の対象とする領域として検出する領域検出部として機能させるデジタルコンテンツ画面補正プログラム。
【請求項１４】
デジタルコンテンツ画面が見やすくなるよう該デジタルコンテンツ画面の補正を行うデジタルコンテンツ画面補正装置としてコンピュータを機能させるためのデジタルコンテンツ画面補正プログラムであって、
前記コンピュータを、
対象年齢に応じた水晶体の分光感度特性を算出する年齢特性算出部と、
前記デジタルコンテンツ画面を構成する全領域の分光分布特性を算出する分光分布特性算出部と、
前記年齢特性算出部によって算出された分光感度特性および前記分光分布特性算出部によって算出された前記全領域の分光分布特性に基づいて、前記全領域の三刺激値を算出する三刺激値算出部と、
前記三刺激値算出部によって算出された前記全領域の三刺激値に基づいて前記全領域の画像データを人間の知覚に合致した色データに変換する色データ変換部と、
前記デジタルコンテンツ画面の前記全領域を互いに隣接する隣接領域毎に分割する領域分割部と、
前記隣接領域の色データに基づいて算出された色差によって前記隣接領域の見やすさを評価する色差評価部と、
前記色差評価部によって見えにくいとされた隣接領域の少なくとも一方を前記補正の対象として色補正する色補正部として機能させるデジタルコンテンツ画面補正プログラム。
【発明の詳細な説明】
【技術分野】
【０００１】
本発明は、デジタルコンテンツ画面補正装置、その方法およびそのプログラムに関し、特に、デジタルコンテンツ画面が見やすくなるようデジタルコンテンツ画面の補正を行うデジタルコンテンツ画面補正装置、その方法およびそのプログラムに関するものである。
【０００２】
従来、デジタルコンテンツ画面が見やすくなるようデジタルコンテンツ画面の補正を行うものとして、画像の鮮鋭度を上げる処理と色コントラストを低下させる補正処理とを行うことによって、デジタルコンテンツ画面を高齢者にとって見やすいものに補正するものがある（例えば、特許文献１または非特許文献１参照）。
【特許文献１】特開平９−９７３３３号公報
【非特許文献１】樋口和則他、"加齢による視覚特性の低下を考慮した補正表示システム"、映像情報メディア学会誌 Vol.53、No．9、pp.1285-1291（1999）
【発明の開示】
【発明が解決しようとする課題】
【０００３】
しかしながら、上述した従来の技術は、対象年齢に応じて境界が見にくくなる領域を検出することができないため、対象年齢に応じたデジタルコンテンツ画面の補正を行うことができないといった課題があった。
【０００４】
本発明は、従来の課題を解決するためになされたもので、対象年齢に応じたデジタルコンテンツ画面の補正を行うことができるデジタルコンテンツ画面補正装置、その方法およびそのプログラムを提供することを目的とする。
【課題を解決するための手段】
【０００５】
本発明のデジタルコンテンツ画面補正装置は、デジタルコンテンツ画面が見やすくなるよう該デジタルコンテンツ画面の補正を行うデジタルコンテンツ画面補正装置であって、対象年齢に応じた水晶体の分光感度特性を算出する年齢特性算出部と、前記デジタルコンテンツ画面を構成する各領域の分光分布特性を算出する分光分布特性算出部と、前記年齢特性算出部によって算出された分光感度特性および前記分光分布特性算出部によって算出された各領域の分光分布特性に基づいて、前記各領域の三刺激値を算出する三刺激値算出部と、前記三刺激値算出部によって算出された各領域の三刺激値に基づいて、前記各領域のうち互いに隣接する領域間の色差を算出する色差算出部と、前記色差算出部によって算出された色差に基づいて、境界が見えにくくなる両領域を前記補正の対象とする領域として検出する領域検出部とを備えた構成を有している。
【０００６】
この構成により、本発明のデジタルコンテンツ画面補正装置は、対象年齢に応じた水晶体の分光感度特性を用いて、互いに隣接する領域間の色差を算出することにより、対象年齢に応じて境界が見にくくなる領域を検出するため、対象年齢に応じたデジタルコンテンツ画面の補正を行うことができる。
【０００７】
なお、前記分光分布特性算出部は、波長をλとし、前記デジタルコンテンツ画面を表示するディスプレイのＲＧＢ分光分布特性をそれぞれＰＲ（λ）、ＰＧ（λ）、ＰＢ（λ）とし、前記各領域の光信号レベルをＬＲ、ＬＧ、ＬＢとし、補正係数をＲＯ、ＧＯ、ＢＯとしたときに、前記各領域の分光分布特性ＰＲＧＢ（λ）を
ＰＲＧＢ（λ）＝ＬＲ・ＲＯ・ＰＲ（λ）＋ＬＧ・ＧＯ・ＰＧ（λ）＋ＬＢ・ＢＯ・ＰＢ（λ）
によって算出するようにしてもよい。
【０００８】
また、前記分光分布特性算出部は、前記デジタルコンテンツ画面を表示するディスプレイの各ＲＧＢ分光分布特性ＰＲ（λ）、ＰＧ（λ）、ＰＢ（λ）を、下限波長から上限波長までの区間で１をとり、他の区間で０をとる方形特性とし、前記下限波長および前記上限波長が前記デジタルコンテンツ画面の適用規格に色度点が合致するようにそれぞれ定めるようにしてもよい。
【０００９】
また、前記補正係数は、前記分光分布特性の光信号レベルがそれぞれ１のときに基準年齢における三刺激値がそれぞれ１になるよう定められていてもよい。
【００１０】
また、前記三刺激値算出部は、前記分光分布特性算出部によって算出された各領域の分光分布特性と、前記年齢特性算出部によって算出された分光感度特性と、スペクトル三刺激値とを可視光線の波長の範囲で積分することによって各領域の三刺激値を算出するようにしてもよい。
【００１１】
また、本発明のデジタルコンテンツ画面補正装置は、デジタルコンテンツ画面が見やすくなるよう該デジタルコンテンツ画面の補正を行うデジタルコンテンツ画面補正装置であって、対象年齢に応じた水晶体の分光感度特性を算出する年齢特性算出部と、前記デジタルコンテンツ画面を構成する全領域の分光分布特性を算出する分光分布特性算出部と、前記年齢特性算出部によって算出された分光感度特性および前記分光分布特性算出部によって算出された前記全領域の分光分布特性に基づいて、前記全領域の三刺激値を算出する三刺激値算出部と、前記三刺激値算出部によって算出された前記全領域の三刺激値に基づいて前記全領域の画像データを人間の知覚に合致した色データに変換する色データ変換部と、前記デジタルコンテンツ画面の前記全領域を互いに隣接する隣接領域毎に分割する領域分割部と、前記隣接領域の色データに基づいて算出された色差によって前記隣接領域の見やすさを評価する色差評価部と、前記色差評価部によって見えにくいとされた隣接領域の少なくとも一方を前記補正の対象として色補正する色補正部とを備えた構成を有している。
【００１２】
この構成により、本発明のデジタルコンテンツ画面補正装置は、対象年齢に応じた水晶体の分光感度特性を用いて、互いに隣接する領域間の色差を算出することにより、対象年齢に応じて境界が見にくくなる領域を検出するため、対象年齢に応じたデジタルコンテンツ画面の補正を行うことができる。
【００１３】
なお、前記色差評価部は、前記隣接領域毎に算出された人間の知覚に対応する色信号の平均値の差で示される色差に基づいて前記隣接領域の見やすさを評価するようにしてもよい。
【００１４】
また、前記色補正部は、前記色差評価部によって前記隣接領域が見やすいと評価される色を予め定められた色パレットから選択して色補正するようにしてもよい。
【００１５】
また、前記色差評価部は、見やすさを評価する対象を指示する指示手段の指示に基づいて前記隣接領域の見やすさを評価するものであり、前記隣接領域の一方が文字を表示する文字領域であって前記隣接領域の他方が前記文字の背景領域であるとき、該背景領域の一部が指定された際に、前記文字の見やすさを評価するようにしてもよい。
【００１６】
また、前記色差評価部は、見やすさを評価する対象範囲を指示する指示手段の指示に基づいて前記隣接領域の見やすさを評価するものであり、前記隣接領域の一方が文字を表示する文字領域であって前記隣接領域の他方が前記文字の背景領域であるとき、前記文字領域の少なくとも一部の領域が前記対象範囲として選択された際に、該対象範囲内の文字の見やすさを評価するようにしてもよい。
【００１７】
本発明のデジタルコンテンツ画面補正方法は、デジタルコンテンツ画面が見やすくなるよう該デジタルコンテンツ画面の補正を行うデジタルコンテンツ画面補正方法であって、対象年齢に応じた水晶体の分光感度特性を算出する年齢特性算出ステップと、前記デジタルコンテンツ画面を構成する各領域の分光分布特性を算出する分光分布特性算出ステップと、前記年齢特性算出ステップで算出された分光感度特性および前記分光分布特性算出ステップで算出された各領域の分光分布特性に基づいて、前記各領域の三刺激値を算出する三刺激値算出ステップと、前記三刺激値算出ステップで算出された各領域の三刺激値に基づいて、前記各領域のうち互いに隣接する領域間の色差を算出する色差算出ステップと、前記色差算出ステップで算出された色差に基づいて、境界が見えにくい両領域を前記補正の対象とする領域として検出する領域検出ステップとを有している。
【００１８】
この方法により、対象年齢に応じた水晶体の分光感度特性を用いて、互いに隣接する領域間の色差が算出され、対象年齢に応じて境界が見にくくなる領域が検出されるため、対象年齢に応じたデジタルコンテンツ画面の補正を行うことができる。
【００１９】
また、本発明のデジタルコンテンツ画面補正方法は、デジタルコンテンツ画面が見やすくなるよう該デジタルコンテンツ画面の補正を行うデジタルコンテンツ画面補正方法であって、対象年齢に応じた水晶体の分光感度特性を算出する年齢特性算出ステップと、前記デジタルコンテンツ画面を構成する全領域の分光分布特性を算出する分光分布特性算出ステップと、前記年齢特性算出ステップで算出された分光感度特性および前記分光分布特性算出ステップで算出された前記全領域の分光分布特性に基づいて、前記全領域の三刺激値を算出する三刺激値算出ステップと、前記三刺激値算出ステップで算出された前記全領域の三刺激値に基づいて前記全領域の画像データを人間の知覚に合致した色データに変換する色データ変換ステップと、前記デジタルコンテンツ画面の前記全領域を互いに隣接する隣接領域毎に分割する領域分割ステップと、前記隣接領域の色データに基づいて算出された色差によって前記隣接領域の見やすさを評価する色差評価ステップと、前記色差評価ステップで見えにくいとされた隣接領域の少なくとも一方を前記補正の対象として色補正する色補正ステップとを有している。
【００２０】
この方法により、対象年齢に応じた水晶体の分光感度特性を用いて、互いに隣接する領域間の色差が算出され、対象年齢に応じて境界が見にくくなる領域が検出されるため、対象年齢に応じたデジタルコンテンツ画面の補正を行うことができる。
【００２１】
本発明のデジタルコンテンツ画面補正プログラムは、デジタルコンテンツ画面が見やすくなるよう該デジタルコンテンツ画面の補正を行うデジタルコンテンツ画面補正装置としてコンピュータを機能させるためのデジタルコンテンツ画面補正プログラムであって、前記コンピュータを、対象年齢に応じた水晶体の分光感度特性を算出する年齢特性算出部と、前記デジタルコンテンツ画面を構成する各領域の分光分布特性を算出する分光分布特性算出部と、前記年齢特性算出部によって算出された分光感度特性および前記分光分布特性算出部によって算出された各領域の分光分布特性に基づいて、前記各領域の三刺激値を算出する三刺激値算出部と、前記三刺激値算出部によって算出された各領域の三刺激値に基づいて、前記各領域のうち互いに隣接する領域間の色差を算出する色差算出部と、前記色差算出部によって算出された色差に基づいて、境界が見えにくくなる両領域を前記補正の対象とする領域として検出する領域検出部として機能させるものである。
【００２２】
このプログラムにより、対象年齢に応じた水晶体の分光感度特性を用いて、互いに隣接する領域間の色差が算出され、対象年齢に応じて境界が見にくくなる領域が検出されるため、対象年齢に応じたデジタルコンテンツ画面の補正を行うことができる。
【００２３】
また、本発明のデジタルコンテンツ画面補正プログラムは、デジタルコンテンツ画面が見やすくなるよう該デジタルコンテンツ画面の補正を行うデジタルコンテンツ画面補正装置としてコンピュータを機能させるためのデジタルコンテンツ画面補正プログラムであって、前記コンピュータを、対象年齢に応じた水晶体の分光感度特性を算出する年齢特性算出部と、前記デジタルコンテンツ画面を構成する全領域の分光分布特性を算出する分光分布特性算出部と、前記年齢特性算出部によって算出された分光感度特性および前記分光分布特性算出部によって算出された前記全領域の分光分布特性に基づいて、前記全領域の三刺激値を算出する三刺激値算出部と、前記三刺激値算出部によって算出された前記全領域の三刺激値に基づいて前記全領域の画像データを人間の知覚に合致した色データに変換する色データ変換部と、前記デジタルコンテンツ画面の前記全領域を互いに隣接する隣接領域毎に分割する領域分割部と、前記隣接領域の色データに基づいて算出された色差によって前記隣接領域の見やすさを評価する色差評価部と、前記色差評価部によって見えにくいとされた隣接領域の少なくとも一方を前記補正の対象として色補正する色補正部として機能させるものである。
【００２４】
このプログラムにより、対象年齢に応じた水晶体の分光感度特性を用いて、互いに隣接する領域間の色差が算出され、対象年齢に応じて境界が見にくくなる領域が検出されるため、対象年齢に応じたデジタルコンテンツ画面の補正を行うことができる。
【発明の効果】
【００２５】
本発明は、対象年齢に応じたデジタルコンテンツ画面の補正を行うことができるデジタルコンテンツ画面補正装置、その方法およびそのプログラムを提供することができる。
【発明を実施するための最良の形態】
【００２６】
以下、本発明の実施の形態について、図面を参照して説明する。
【００２７】
（第１の実施の形態）
本発明の第１の実施の形態のデジタルコンテンツ画面補正装置を図１に示す。
【００２８】
図１に示すように、デジタルコンテンツ画面補正装置１は、補正の対象とするデジタルコンテンツ画面を構成する各領域を抽出する領域抽出部１０と、各領域の画像レベルを光信号レベルに変換する光信号変換部１１と、対象年齢に応じた水晶体の分光感度特性を算出する年齢特性算出部１２と、各領域の分光分布特性を算出する分光分布特性算出部１３と、各領域のＲＧＢ三刺激値を算出する三刺激値算出部１４と、互いに隣接する領域間の色差を算出する色差算出部１５と、境界が見えにくくなる領域を検出する領域検出部１６と、領域検出部１６によって検出された領域を補正する領域補正部１７とを備えている。
【００２９】
なお、本実施の形態において、領域抽出部１０、光信号変換部１１、年齢特性算出部１２、分光分布特性算出部１３、三刺激値算出部１４、色差算出部１５、領域検出部１６および領域補正部１７は、後述するデジタルコンテンツ画面補正装置１の動作を実行するようプログラミングされたＤＳＰ（Digital Signal Processor）等のプロセッサによって一体に構成される。
【００３０】
また、デジタルコンテンツ画面とは、人工的に作成された天気画面、データ放送画面、ＣＧ（Computer Graphic）画面およびＥＰＧ（Electronic Program Guide、電子プログラムガイド）画面等であって、図示しない記憶媒体やネットワーク等から得られた映像信号に基づいてディスプレイに表示される表示画面のことをいう。実際には、デジタルコンテンツ画面補正装置１を構成する各部は、デジタルコンテンツ画面を表す映像信号を処理するものであるが、本発明を理解しやすくするために、本実施の形態においては、デジタルコンテンツ画面補正装置１を構成する各部がデジタルコンテンツ画面を処理するものとして表現する。
【００３１】
領域抽出部１０は、デジタルコンテンツ画面を構成する背景や文字等の各オブジェクトの領域を抽出し、抽出した領域の座標等を表す位置情報と、ＲＧＢの各画像レベル等を表す画像データとを生成するようになっている。なお、以下の説明において、領域抽出部１０によって抽出された領域のことを単に「抽出領域」という。
【００３２】
例えば、領域抽出部１０は、水平方向または垂直方向に端から各画素間の画素レベルを比較して行き、画素レベルに変化があった場合には、画素の位置情報と両画素の画像データとを生成するようになっている。
【００３３】
なお、領域抽出部１０は、「高木幹雄、下田陽久監修、画像解析ハンドブック、p.550-564、東京大学出版」に開示された技術を用いてエッジ検出を行い、エッジの位置情報とエッジを挟む両領域の画素の画像データとを生成するようにしてもよい。
【００３４】
また、領域抽出部１０は、「高木幹雄、下田陽久監修、画像解析ハンドブック、p.689-706、東京大学出版」に開示された技術を用いて、予め画面に領域分割を施し、各領域の代表画素の位置情報と画像データとを生成するようにしてもよいし、各領域を識別するために領域毎にラベル情報を付与してラベル情報と画像データとを生成するようにしてもよい。
【００３５】
光信号変換部１１は、各抽出領域の画像レベルＲ、Ｇ、Ｂを光信号レベルＬＲ、ＬＧ、ＬＢに変換するようになっている。例えば、デジタルコンテンツ画面がハイビジョン画像から得られる場合には、光信号変換部１１は、以下の数式１ないし数式３に従った変換を行うように構成される。
【００３６】
（数１）
Ｖ＝（Ｒ−１６）／２１９
（数２）
ＬＲ＝Ｖ／４．５  （Ｖ＜０．０８１２のとき）
（数３）
ＬＲ＝（（Ｖ＋０．０９９）／１．０９９）１／０．４５  （Ｖ≧０．０８１２のとき）
【００３７】
ここで、Ｖは、８ビットの画像レベルを０から１の範囲でスケーリングした値である。また、光信号変換部１１は、画像レベルＧ、Ｂについても、画像レベルＲと同様に光信号レベルＬＧ、ＬＢに変換するようになっている。
【００３８】
なお、デジタルコンテンツ画面の適用規格として、ＮＴＳＣ（National Television Standards Committee）規格ならびにｓＲＧＢ（standard RGB）規格、ｓＹＣＣ（standard YCC）規格、ｓｃＲＧＢ（standard computing RGB）規格およびｘｖＹＣＣ（extended video YCC）規格のようにパーソナルコンピュータに用いられる規格等があるが、光信号変換部１１は、それぞれの規格に応じた変換式に従って各抽出領域の画像レベルを光信号レベルに変換するようになっている。
【００３９】
年齢特性算出部１２は、図示しない入力装置等を介して入力された対象年齢を表すデータに基づいて、対象年齢における水晶体の分光感度特性を算出するようになっている。例えば、年齢特性算出部１２は、「Joel Pokorny他,"Aging of the human lens",Applied Optics,Vol.28,No.8(April 1987)」に開示された以下の数式４ないし数式６で表されるPokornyモデルに従って水晶体の分光感度特性Ｓｎ（λ）を算出するようになっている。
【００４０】
（数４）
ＤＳｎ（λ）＝ＴＬｌ（λ）［１＋０．０２（ｎ−３２）］＋ＴＬ２（λ）  （２０≦ｎ＜６０のとき）
（数５）
ＤＳｎ（λ）＝ＴＬｌ（λ）［１．５６＋０．０６６７（ｎ−６０）］＋ＴＬ２（λ）  （ｎ≧６０のとき）
（数６）
Ｓｎ（λ）＝１０−ＤＳｎ（λ）
【００４１】
ここで、λは波長、ｎは対象年齢、ＴＬｌ（λ）、ＴＬ２（λ）は波長毎に決められた定数である。
【００４２】
分光分布特性算出部１３は、デジタルコンテンツ画面が表示される図示しないディスプレイが液晶よりなる場合には、このディスプレイのＲＧＢの分光分布をＰＲ（λ）、ＰＧ（λ）、ＰＢ（λ）とし、補正係数をＲＯ、ＧＯ、ＢＯとし、光信号変換部１１によって変換された光信号レベルＬＲ、ＬＧ、ＬＢを用いて、各抽出領域の分光分布特性ＰＲＧＢ（λ）を以下の数式７に従って算出するようになっている。
【００４３】
（数７）
ＰＲＧＢ（λ）＝ＬＲ・ＲＯ・ＰＲ（λ）＋ＬＧ・ＧＯ・ＰＧ（λ）＋ＬＢ・ＢＯ・ＰＢ（λ）
【００４４】
なお、分光分布特性算出部１３は、ディスプレイのＲＧＢの各分光分布ＰＲ（λ）、ＰＧ（λ）、ＰＢ（λ）を下限波長から上限波長までの区間で１をとり、他の区間で０をとる図２に示したような方形特性として、デジタルコンテンツ画面の分光分布特性ＰＲＧＢ（λ）の算出を行うようになっている。
【００４５】
ここで、分光分布特性算出部１３は、ＰＲ（λ）の下限波長λＲ１および上限波長λＲ２、ＰＧ（λ）の下限波長λＧ１および上限波長λＧ２、ならびに、ＰＢ（λ）の下限波長λＢ１および上限波長λＢ２（以下、まとめて「波長λ．」と記載する。）を、基準年齢（本実施の形態においては、２０歳）における水晶体の分光感度特性Ｓ２０（λ）を用いて、Ｓ２０（λ）・ＰＲ（λ）、Ｓ２０（λ）・ＰＧ（λ）、Ｓ２０（λ）・ＰＢ（λ）に対するＸＹＺ三刺激値から算出される色度点がＮＴＳＣやハイビジョン等のデジタルコンテンツ画面の適用規格の色度点に合致するように決定するようになっている。
【００４６】
なお、図示しないＲＯＭ（Read Only Memory）等の不揮発性の記憶媒体に波長λ．をデジタルコンテンツ画面の適用規格毎に記憶しておき、分光分布特性算出部１３がデジタルコンテンツ画面の適用規格に基づいて波長λ．を選択するようにしてもよい。
【００４７】
また、補正係数ＲＯ、ＧＯ、ＢＯは、光信号レベルＬＲ、ＬＧ、ＬＢがそれぞれ１のとき、基準年齢におけるＲＧＢ三刺激値がそれぞれ１になるよう予め定められ、デジタルコンテンツ画面の適用規格毎にＲＯＭ等の不揮発性の記憶媒体に記憶されている。なお、補正係数ＲＯ、ＧＯ、ＢＯの定め方については、後述する。
【００４８】
三刺激値算出部１４は、年齢特性算出部１２によって算出された分光感度特性Ｓｎ（λ）と、分光分布特性算出部１３によって算出された分光分布特性ＰＲＧＢ（λ）と、理想撮像特性ｒ（λ）、ｇ（λ）、ｂ（λ）とを用いて、以下の数式８ないし数式１０に従って、各抽出領域のＲＧＢ三刺激値Ｒｎ、Ｇｎ、Ｂｎを算出するようになっている。
【００４９】
【数８】
2008226229.tif 000003
【数９】
2008226229.tif 000004
【数１０】
2008226229.tif 000005
【００５０】
なお、数式８ないし数式１０を用いることによって、補正係数ＲＯ、ＧＯ、ＢＯを予め算出しておくことができる。すなわち、光信号レベルＬＲ、ＬＧ、ＬＢをそれぞれ１、すなわち、デジタルコンテンツ画面の分光分布特性ＰＲＧＢ（λ）＝１・ＲＯ・ＰＲ（λ）＋１・ＧＯ・ＰＧ（λ）＋１・ＢＯ・ＰＢ（λ）とし、水晶体の分光感度特性Ｓｎ（λ）＝Ｓ２０（λ）とし、Ｒｎ＝Ｇｎ＝Ｂｎ＝１とした数式８ないし数式１０よりなる連立方程式を解くことによって、補正係数ＲＯ、ＧＯ、ＢＯを算出することができる。このように算出された補正係数ＲＯ、ＧＯ、ＢＯは、前述したように予めＲＯＭ等の不揮発性の記憶媒体に記憶される。
【００５１】
色差算出部１５は、三刺激値算出部１４によって算出された各抽出領域の三刺激値Ｒｎ、Ｇｎ、ＢｎをＸＹＺ表色系に変換し、変換した三刺激値Ｘ、Ｙ、Ｚに基づいて、互いに隣接する抽出領域間の色差を算出するようになっている。
【００５２】
例えば、色差算出部１５は、人間の知覚に合致したＣＩＥ１９７６Ｌ＊ａ＊ｂ＊表色系やＣＩＥ１９７６Ｌ＊ｕ＊ｖ＊表色系で提案されている色差式に従って色差を算出するようになっている。なお、これら色差式については、「日本色彩学会編、新編色彩科学ハンドブック  第２版、pp.275-277」を参照されたい。
【００５３】
ＣＩＥ１９７６Ｌ＊ａ＊ｂ＊表色系で提案されている色差式を用いる場合には、色差算出部１５は、以下の数式１１ないし数式１３に従って、Ｌ＊、ａ＊、ｂ＊をそれぞれ算出するように構成される。
【００５４】
（数１１）
Ｌ＊＝１１６Ｙａ−１６
（数１２）
ａ＊＝５００（Ｘａ−Ｙａ）
（数１３）
ｂ＊＝２００（Ｙａ−Ｚａ）
【００５５】
ここで、Ｘ／Ｘｎ、Ｙ／Ｙｎ、Ｚ／Ｚｎの全てが０．００８８５６を超えるとき、Ｘａ＝（Ｘ／Ｘｎ）ｌ／３、Ｙａ＝（Ｙ／Ｙｎ）ｌ／３、Ｚａ＝（Ｚ／Ｚｎ）ｌ／３であり、Ｘ／Ｘｎ、Ｙ／Ｙｎ、Ｚ／Ｚｎのいずれかが０．００８８５６以下のとき、Ｘａ＝７．７８７（Ｘ／Ｘｎ）＋１６／１１６、Ｙａ＝７．７８７（Ｙ／Ｙｎ）＋１６／１１６、Ｚａ＝７．７８７（Ｚ／Ｚｎ）＋１６／１１６である。
【００５６】
また、Ｘｎ、Ｙｎ、Ｚｎは、標準光下の完全拡散面の三刺激値であり、標準光は、デジタルコンテンツ画面の適用規格がＮＴＳＣである場合にはＣ光源、ハイビジョンである場合にはＤ６５光源といったようにデジタルコンテンツ画面の適用規格に応じて決定される。
【００５７】
色差算出部１５は、互いに隣接する両抽出領域に対して算出したＬ＊、ａ＊、ｂ＊をそれぞれＬ＊１、ａ＊１、ｂ＊１およびＬ＊２、ａ＊２、ｂ＊２とした以下の数式１４に従って、色差ΔＥを算出するようになっている。
【００５８】
【数１４】
2008226229.tif 000006
【００５９】
領域検出部１６は、色差算出部１５によって算出された色差と、予め設定された閾値とを比較することによって、境界が見えにくい両抽出領域を検出するようになっている。
【００６０】
領域補正部１７は、領域検出部１６によって境界が見えにくいものとして検出された両抽出領域または両抽出領域の境界に対して、ブリンクさせる等の注意喚起を促すための処理を施しながら、ディスプレイにデジタルコンテンツ画面を表示させるようになっている。
【００６１】
また、領域補正部１７は、デジタルコンテンツ画面と共に抽出領域の色を変更するための代替色の一覧をディスプレイに表示させ、入力装置を介して代替色と抽出領域が指定された場合には、当該代替色で当該抽出領域の色を置き換えたデジタルコンテンツ画面を再表示させるようになっている。
【００６２】
以上のように構成されたデジタルコンテンツ画面補正装置１について図３を用いてその動作を説明する。
【００６３】
まず、入力装置を介して年齢特性算出部１２に対象年齢を表すデータが入力されると、対象年齢における水晶体の分光感度特性Ｓｎ（λ）が年齢特性算出部１２によって算出される（Ｓ１）。
【００６４】
次に、補正の対象とするデジタルコンテンツ画面から領域抽出部１０によって各オブジェクトの領域が抽出され（Ｓ２）、抽出された各抽出領域の画像レベルが光信号変換部１１によって光信号レベルに変換される（Ｓ３）。
【００６５】
次に、各抽出領域の分光分布特性ＰＲＧＢ（λ）が分光分布特性算出部１３によって算出され（Ｓ４）、年齢特性算出部１２によって算出された分光感度特性Ｓｎ（λ）および分光分布特性算出部１３によって算出された分光分布特性ＰＲＧＢ（λ）に基づいて、各抽出領域のＲＧＢ三刺激値Ｒｎ、Ｇｎ、Ｂｎが三刺激値算出部１４によって算出される（Ｓ５）。
【００６６】
次に、三刺激値算出部１４によって算出された各抽出領域のＲＧＢ三刺激値Ｒｎ、Ｇｎ、Ｂｎに基づいて、互いに隣接する抽出領域間の色差ΔＥが色差算出部１５によって算出される（Ｓ６）。
【００６７】
次に、色差算出部１５によって算出された各色差ΔＥと閾値とが領域検出部１６によって比較され、境界が見えにくい抽出領域として色差ΔＥが閾値以上となった両抽出領域が検出される（Ｓ７）。
【００６８】
領域検出部１６によって境界が見えにくいものとして検出された両抽出領域または両抽出領域の境界は、領域補正部１７によってブリンク等の注意喚起を促すための処理が施され（Ｓ８）、他の抽出領域と共にディスプレイに表示される（Ｓ９）。
【００６９】
この状態で、入力装置を介して代替色と抽出領域が指定された場合には、当該代替色で当該抽出領域の色が置き換えられる。なお、何れかの抽出領域の色が代替色に置き換えられたデジタルコンテンツ画面に対して、上記動作をステップＳ２から再度実行することにより、変更後のデジタルコンテンツ画面に境界が見えにくい抽出領域が存在するか否かを確認できるようにしてもよい。
【００７０】
このような本発明の第１の実施の形態のデジタルコンテンツ画面補正装置１は、対象年齢に応じた水晶体の分光感度特性を用いて、互いに隣接する抽出領域間の色差を算出することにより、対象年齢に応じて境界が見にくくなる領域を検出するため、対象年齢に応じたデジタルコンテンツ画面の補正を行うことができる。
【００７１】
なお、領域補正部１７は、上述したように入力装置を介した入力に従ってデジタルコンテンツ画面を補正するのに代えて、領域検出部１６によって境界が見えにくいものとして検出された両抽出領域の少なくとも一方の色を、ＣＩＥ色度図において対応する（ｘ，ｙ）座標に対して白色点を中心に対称な座標（３度点を結ぶ三角形の外側に対応する場合は、三角形の線上）に対応する色に自動的に変更するようにしてもよい。以下、デジタルコンテンツ画面を自動的に補正する他の態様について説明する。
【００７２】
（第２の実施の形態）
本発明の第２の実施の形態のデジタルコンテンツ画面補正装置を図４に示す。なお、本実施の形態では、本発明の第１の実施の形態のデジタルコンテンツ画面補正装置１の構成要素と同一な構成要素には、同一の符号を付して説明を省略する。
【００７３】
図４に示すように、デジタルコンテンツ画面補正装置２０は、本発明の第１の実施の形態のデジタルコンテンツ画面補正装置１に対して、領域補正部１７に代えて領域補正部２１を設けた点が相違する。
【００７４】
領域補正部２１は、図５に示すように、領域検出部１６によって境界が見えにくいものとして検出された抽出領域（以下、単に「補正対象領域」という。）の補正用の分光分布特性を算出する補正用分光分布特性算出部２２と、各補正対象領域の補正用のＲＧＢ三刺激値を算出する補正用三刺激値算出部２３と、補正用三刺激値算出部２３によって算出されたＲＧＢ三刺激値を画像レベルに変換する画像レベル変換部２４と、各補正対象領域の画像レベルを画像レベル変換部２４によって変換された画像レベルに変更する画像合成部２５とを有している。
【００７５】
補正用分光分布特性算出部２２は、ディスプレイのＲＧＢの分光分布をＰＲ（λ）、ＰＧ（λ）、ＰＢ（λ）とし、補正係数をＲＯｎ、ＧＯｎ、ＢＯｎとし、光信号変換部１１によって変換された光信号レベルＬＲ、ＬＧ、ＬＢを用いて、各補正対象領域の分光分布特性ＰＲＧＢｎ（λ）を以下の数式１５に従って算出するようになっている。
【００７６】
（数１５）
ＰＲＧＢｎ（λ）＝ＬＲ・ＲＯｎ・ＰＲ（λ）＋ＬＧ・ＧＯｎ・ＰＧ（λ）＋ＬＢ・ＢＯｎ・ＰＢ（λ）
【００７７】
ここで、補正係数ＲＯｎ、ＧＯｎ、ＢＯｎは、光信号レベルＬＲ、ＬＧ、ＬＢがそれぞれ１のとき、対象年齢におけるＲＧＢ三刺激値がそれぞれ１になるよう予め定められ、対象年齢およびデジタルコンテンツ画面の適用規格毎にＲＯＭ等の不揮発性の記憶媒体に記憶されている。なお、補正係数ＲＯｎ、ＧＯｎ、ＢＯｎの値については、前述した基準年齢に基づいて定まる補正係数ＲＯ、ＧＯ、ＢＯと同様に算出しておくことができる。
【００７８】
補正用三刺激値算出部２３は、年齢特性算出部１２によって算出された分光感度特性Ｓｎ（λ）と、補正用分光分布特性算出部２２によって算出された分光分布特性ＰＲＧＢｎ（λ）と、理想撮像特性ｒ（λ）、ｇ（λ）、ｂ（λ）とを用いて、以下の数式１６ないし数式１８に従って、各補正対象領域の補正用のＲＧＢ三刺激値Ｒｎ、Ｇｎ、Ｂｎを算出するようになっている。
【００７９】
【数１６】
2008226229.tif 000007
【数１７】
2008226229.tif 000008
【数１８】
2008226229.tif 000009
【００８０】
画像レベル変換部２４は、補正用三刺激値算出部２３によって算出された各補正対象領域の補正用の三刺激値Ｒｎ、Ｇｎ、Ｂｎをデジタルコンテンツ画面の適用規格に応じた変換式に従って光信号レベルＬＲ、ＬＧ、ＬＢに変換するようになっている。
【００８１】
また、画像レベル変換部２４は、デジタルコンテンツ画面の適用規格に応じた変換式に従って光信号レベルＬＲ、ＬＧ、ＬＢを画像レベルＲ、Ｇ、Ｂに変換するようになっている。例えば、デジタルコンテンツ画面がハイビジョン画像から得られる場合には、画像レベル変換部２４は、以下の数式１９ないし数式２１に従って変換を行うように構成される。
【００８２】
（数１９）
Ｖ＝４．５×ＬＲ  （ＬＲ＜０．０１８のとき）
（数２０）
Ｖ＝１．０９９×ＬＲ０．４５−０．０９９  （ＬＲ≧０．０１８のとき）
（数２１）
Ｒ＝２１９×Ｖ＋１６
【００８３】
ここで、Ｖは、８ビットの画像レベルが０から１の範囲でスケーリングされた値である。また、画像レベル変換部２４は、光信号レベルＬＧ、ＬＢについても、ＬＲと同様に画像レベル情報のＧ、Ｂ成分に変換するようになっている。
【００８４】
画像合成部２５は、各補正対象領域の画像レベルを、画像レベル変換部２４によって光信号レベルから変換された画像レベルに変更するようになっている。
【００８５】
以上のように構成されたデジタルコンテンツ画面補正装置２０について図６を用いてその動作を説明する。なお、以下の説明において、補正対象領域を検出する処理は、図３におけるステップＳ１ないしＳ７と同一であるため、符号Ｓ２０を付して説明を省略する。
【００８６】
まず、領域検出部１６によって補正対象領域が検出されると（Ｓ２０）、各補正対象領域の補正用の分光分布特性ＰＲＧＢｎ（λ）が補正用分光分布特性算出部２２によって算出される（Ｓ２１）。
【００８７】
次に、年齢特性算出部１２によって算出された分光感度特性Ｓｎ（λ）と、補正用分光分布特性算出部２２によって算出された各補正対象領域の補正用の分光分布特性ＰＲＧＢｎ（λ）とに基づいて、各補正対象領域の補正用のＲＧＢ三刺激値Ｒｎ、Ｇｎ、Ｂｎが補正用三刺激値算出部２３によって算出される（Ｓ２２）。
【００８８】
次に、補正用三刺激値算出部２３によって算出された各補正対象領域の補正用のＲＧＢ三刺激値Ｒｎ、Ｇｎ、Ｂｎが、画像レベル変換部２４によって画像レベルＲ、Ｇ、Ｂに変換される（Ｓ２３）。
【００８９】
次に、各補正対象領域の画像レベルが、画像レベル変換部２４によって変換された画像レベルＲ、Ｇ、Ｂに画像合成部２５によって変更され（Ｓ２４）、各補正対象領域が変更されたデジタルコンテンツ画面がディスプレイに表示される（Ｓ２５）。
【００９０】
このような本発明の第２の実施の形態のデジタルコンテンツ画面補正装置２０は、対象年齢に応じて境界が見にくくなるものとして検出した領域に対して、対象年齢に応じた補正を行うことができる。
【００９１】
（第３の実施の形態）
本発明の第３の実施の形態のデジタルコンテンツ画面補正装置を図７に示す。なお、本実施の形態では、本発明の第１の実施の形態のデジタルコンテンツ画面補正装置１の構成要素と同一な構成要素には、同一の符号を付して説明を省略する。
【００９２】
図７に示すように、デジタルコンテンツ画面補正装置３０は、デジタルコンテンツ画面の全領域（以下単に「全画面領域」という。）の信号レベルを光信号レベルに変換する光信号変換部１１と、対象年齢に応じた水晶体の分光感度特性を算出する年齢特性算出部１２と、全画面領域の分光分布特性を算出する分光分布特性算出部１３と、全画面領域のＲＧＢ三刺激値を算出する三刺激値算出部１４と、全画面領域の画像データを人間の知覚に合致した色データに変換する色データ変換部３１と、デジタルコンテンツ画面の領域を分割する領域分割部３２と、色データ変換部３１の出力データにおける色差を評価する色差評価部３３と、色差評価部３３の評価結果に基づいてデジタルコンテンツ画面の色補正をする色補正部３４とを備えている。
【００９３】
色データ変換部３１は、三刺激値算出部１４によって算出された全画面領域の三刺激値Ｒｎ、Ｇｎ、ＢｎをＸＹＺ表色系に変換し、変換した三刺激値Ｘ、Ｙ、Ｚに基づいて、全画面領域の画像データを人間の知覚に合致した色データに変換するようになっている。
【００９４】
例えば、色データ変換部３１は、人間の知覚に合致したＣＩＥ１９７６Ｌ＊ａ＊ｂ＊表色系やＣＩＥ１９７６Ｌ＊ｕ＊ｖ＊表色系で提案されている色差式に従って色差を算出するようになっている。例えば、ＣＩＥ１９７６Ｌ＊ａ＊ｂ＊表色系で提案されている色差式を用いる場合には、色データ変換部３１は、前述の数式１１ないし数式１３に従って、Ｌ＊、ａ＊、ｂ＊をそれぞれ算出するように構成される。
【００９５】
領域分割部３２は、全画面領域において互いに隣接する隣接オブジェクト領域を分割するようになっている。また、領域分割部３２は、分割した隣接オブジェクト領域を識別するために領域毎にラベル情報を付与し、付与したラベル情報を色差評価部３３に出力するようになっている。
【００９６】
具体的には、領域分割部３２は、例えば、図８に示すように領域分割を行うものである。すなわち、領域分割部３２は、図８（ａ）に示すデジタルコンテンツ画面の画像データを入力した場合、例えば画素膨張処理により、図８（ｂ）に示すような複数の階調で表した領域にデジタルコンテンツ画面全体を領域分割し、階調毎に異なるラベル情報を付与するものである。画素膨張処理については、例えば、「高木幹雄、下田陽久監修、画像解析ハンドブック、p.575-576、東京大学出版」に記述されている。
【００９７】
なお、領域分割部３２が行う領域分割処理は、デジタルコンテンツ画面全体を対象としたものに限定されるものではなく、デジタルコンテンツ画面において見やすくしようとする範囲を指定することによって領域分割処理を行う構成としてもよい。具体的には、図８（ａ）に示したデジタルコンテンツ画面において、見やすくしようとする対象を「東京都渋谷区」という文字とした場合、「東京都渋谷区」の文字が表示されたアイコンの領域の一部を、例えばマウスのような指示手段で指示したとき、領域分割部３２が画素膨張処理を行うことより、図８（ｃ）に示すように、対象とする文字の領域と、対象外である不要領域とに領域分割することもできる。また、アイコンの領域の指示に代えて、「東京都渋谷区」の文字範囲をマウス等で範囲指定し、指定された範囲に対して領域分割部３２が画素膨張処理を行って領域分割することもできる。
【００９８】
色差評価部３３は、領域分割部３２が出力するラベル情報に基づき、互いに隣接する隣接領域の代表座標（例えば領域の重心点）におけるＬ＊、ａ＊、ｂ＊の値の差、または互いに隣接する隣接領域におけるＬ＊、ａ＊、ｂ＊の各平均値の差に基づいて、互いに隣接する隣接領域の色差を例えば数式１４を用いて算出するようになっている。また、色差評価部３３は、算出した色差と予め定められた閾値とを比較することにより、隣接領域の見やすさを評価するようになっている。また、色差評価部３３は、算出した色差が閾値よりも小さい場合、当該隣接領域が見えにくいことを示す情報（以下「色差評価情報」という。）を出力するようになっている。
【００９９】
具体的には、色差評価部３３は、互いに隣接する隣接領域の代表座標（例えば領域の重心点）を用いて文字の見やすさを評価する場合、次のように動作するようになっている。まず、色差評価部３３は、評価対象の文字領域と、評価対象の文字の外側領域とにおける各代表座標として例えば重心点をそれぞれ求める。次に、色差評価部３３は、評価対象の文字の外側領域（例えば、ラベル"１"）の重心点におけるＬ＊、ａ＊、ｂ＊の各値と、評価対象の文字領域（例えば、ラベル"２"〜"１０"）の重心点におけるＬ＊、ａ＊、ｂ＊の各値との差に基づき、例えば数式１４を用いて色差を算出する。そして、算出した色差を閾値と比較し、当該色差が閾値よりも小さい場合、評価対象の文字領域が見えにくいという色差評価情報を出力する。この例において色差評価情報は、ラベル"２"〜"１０"が付与された文字領域が見えにくいことを示す。
【０１００】
また、色差評価部３３は、互いに隣接する隣接領域におけるＬ＊、ａ＊、ｂ＊の各平均値の差に基づいて、文字の見やすさを評価する場合は、次のように動作するようになっている。まず、色差評価部３３は、評価対象の文字領域と、評価対象の文字の外側領域とにおけるＬ＊、ａ＊、ｂ＊の各平均値をそれぞれ求める。次に、色差評価部３３は、評価対象の文字の外側領域におけるＬ＊、ａ＊、ｂ＊の各平均値と、評価対象の文字領域におけるＬ＊、ａ＊、ｂ＊の各平均値との差に基づき、例えば数式１４を用いて色差を算出する。以下、前述の代表座標を用いる場合と同様に動作する。
【０１０１】
色補正部３４は、色差評価部３３が出力する色差評価情報で示された領域の画像データを変更することにより、デジタルコンテンツ画面の画像データを補正するようになっている。例えば、色補正部３４は、色差評価情報で示される隣接領域の代表座標と同じラベルを有する全ての画素データを、予め設定された色パレットから選択した色のデータに置き換えることにより、デジタルコンテンツ画面の画像データを補正するものである。文字の見やすさに注目した場合、色補正部３４は、評価対象の文字の色、または当該文字の外側領域の色を色パレットで選択した色に置き換える。ここで、色補正部３４は、色差評価部３３によって隣接領域が見やすいと評価される色を色パレットから選択する。
【０１０２】
以上のように構成されたデジタルコンテンツ画面補正装置３０について図９を用いてその動作を説明する。
【０１０３】
まず、入力装置を介して年齢特性算出部１２に対象年齢を表すデータが入力されると、対象年齢における水晶体の分光感度特性Ｓｎ（λ）が年齢特性算出部１２によって算出される（Ｓ３１）。
【０１０４】
次に、全画面領域の画像レベルが光信号変換部１１によって光信号レベルに変換される（Ｓ３２）。
【０１０５】
次に、全画面領域の分光分布特性ＰＲＧＢ（λ）が分光分布特性算出部１３によって算出され（Ｓ３３）、年齢特性算出部１２によって算出された分光感度特性Ｓｎ（λ）および分光分布特性算出部１３によって算出された分光分布特性ＰＲＧＢ（λ）に基づいて、全画面領域のＲＧＢ三刺激値Ｒｎ、Ｇｎ、Ｂｎが三刺激値算出部１４によって算出される（Ｓ３４）。
【０１０６】
次に、三刺激値算出部１４によって算出された全領域のＲＧＢ三刺激値Ｒｎ、Ｇｎ、Ｂｎが色データ変換部３１によってＸＹＺ表色系に変換され、全画面領域の画像データが人間の知覚に合致した色データに変換される（Ｓ３５）。
【０１０７】
次に、デジタルコンテンツ画面において互いに隣接する隣接オブジェクト領域が領域分割部３２によって分割されるとともに、分割された隣接オブジェクト領域を識別するために領域毎にラベル情報が付与される（Ｓ３６）。
【０１０８】
次に、色差評価部３３によって、領域分割部３２が出力したラベル情報に基づいて、例えば隣接領域の代表座標がそれぞれ決定され、代表座標間の色差と閾値とが比較され、色差が閾値よりも小さい場合、隣接領域が見えにくいことを示す色差評価情報が出力される（Ｓ３７）。
【０１０９】
そして、色差評価部３３が出力した色差評価情報で示される領域の画像データを例えば色パレットから選択した色のデータに置き換えることにより、デジタルコンテンツ画面の画像データが色補正部３４によって補正されて出力される（Ｓ３８）。
【０１１０】
なお、デジタルコンテンツ画面を見る対象者の年齢層別に上記の各ステップを実行して、年齢層毎の色パレットを予め作製しておき、この年齢層毎の色パレットの何れかが選択された時点で隣接領域の色差を算出することにより、その年齢層の対象者にとって見やすい画面を提供することもできる。
【０１１１】
このような本発明の第３の実施の形態のデジタルコンテンツ画面補正装置３０は、対象年齢に応じた水晶体の分光感度特性を用いて、互いに隣接する領域間の色差を算出することにより、対象年齢に応じて境界が見にくくなる領域を検出するため、対象年齢に応じたデジタルコンテンツ画面の補正を行うことができる。
【０１１２】
特に、本発明の第３の実施の形態のデジタルコンテンツ画面補正装置３０は、デジタルコンテンツ画面に含まれる文字を見やすさの対象とした場合、デジタルコンテンツ画面を見る対象者が見にくい文字を、その対象者の年齢に応じた見やすい文字に補正することができて好ましい。
【産業上の利用可能性】
【０１１３】
本発明は、ニュースや天気などを伝える際に放送局から放送されるデジタルコンテンツ、衛星デジタル放送や地上デジタル放送で放送されるデータ、デジタル放送で活用されるＥＰＧ、Ｗｅｂページ、およびＣＧ等の制作や評価に利用することができる。
【図面の簡単な説明】
【０１１４】
【図１】本発明の第１の実施の形態のデジタルコンテンツ画面補正装置のブロック図である。
【図２】本発明の第１の実施の形態のデジタルコンテンツ画面補正装置を構成する分光分布特性算出部によって参照されるディスプレイのＲＧＢの各分光分布を示すグラフである。
【図３】本発明の第１の実施の形態におけるデジタルコンテンツ画面補正装置の動作を説明するためのフローチャートである。
【図４】本発明の第２の実施の形態のデジタルコンテンツ画面補正装置のブロック図である。
【図５】本発明の第２の実施の形態のデジタルコンテンツ画面補正装置を構成する領域補正部のブロック図である。
【図６】本発明の第２の実施の形態におけるデジタルコンテンツ画面補正装置の動作を説明するためのフローチャートである。
【図７】本発明の第３の実施の形態のデジタルコンテンツ画面補正装置のブロック図である。
【図８】本発明の第３の実施の形態のデジタルコンテンツ画面補正装置における領域分割処理の説明図である。
【図９】本発明の第３の実施の形態におけるデジタルコンテンツ画面補正装置の動作を説明するためのフローチャートである。
【符号の説明】
【０１１５】
１  デジタルコンテンツ画面補正装置
１０  領域抽出部
１１  光信号変換部
１２  年齢特性算出部
１３  分光分布特性算出部
１４  三刺激値算出部
１５  色差算出部
１６  領域検出部
１７、２１  領域補正部
２０  デジタルコンテンツ画面補正装置
２２  補正用分光分布特性算出部
２３  補正用三刺激値算出部
２４  画像レベル変換部
２５  画像合成部
３１  色データ変換部
３２  領域分割部
３３  色差評価部
３４  色補正部
【図１】
2008226229.tif 000010
【図２】
2008226229.tif 000011
【図３】
2008226229.tif 000012
【図４】
2008226229.tif 000013
【図５】
2008226229.tif 000014
【図６】
2008226229.tif 000015
【図７】
2008226229.tif 000016
【図８】
2008226229.tif 000017
【図９】
2008226229.tif 000018